【事件の表示】
　平成　５年特許願第　９５９７６号「カメラ用モータ駆動式レンズシャッタ」拒絶査定不服審判事件〔平成　６年１１月　４日出願公開、特開平　６−３０８５７０、請求項の数（４）〕について、次のとおり審決する。
【結　論】
　原査定を取り消す。
　本願の発明は、特許すべきものとする。
【理　由】
１．手続の経緯及び本願発明
　本願は、平成５年４月２２日の出願であって、その請求項１乃至４に係る発明（以下、「本願発明１」乃至「本願発明４」という。）は、平成１４年３月８日付けの手続補正書により補正された明細書及び図面の記載からみて、その請求項１乃至４に記載された次のとおりのものと認める。
「【請求項１】　光軸に対して略反対方向へ同時に作動する２枚の羽根からなっており露光時には露光用開口を閉じた位置から開いた位置へ作動する開き用シャッタ羽根と、前記開き用シャッタ羽根の両方の羽根のスロットに嵌合したピンが永久磁石回転子と一体的に設けられていて該回転子は通電方向に対応して往復回転する開き用モータと、光軸に対して略反対方向へ同時に作動する２枚の羽根からなっており露光時には露光用開口を開いた位置から閉じた位置へ作動する閉じ用シャッタ羽根と、前記開き用モータとは光軸を挟んだ位置に配置されており前記閉じ用シャッタ羽根の両方の羽根のスロットに嵌合したピンが永久磁石回転子と一体的に設けられていて該回転子は通電方向に対応して往復回転する閉じ用モータと、露光時間の制御領域を複数の領域に分けておき他の領域の露光時間よりも低速領域の露光時間で撮影する場合には該他の領域の露光時間で撮影する場合よりも小さい電圧又は電流を前記二つのモータに印加する駆動制御回路と、を備えていることを特徴とするカメラ用モータ駆動式レンズシャッタ。
【請求項２】　前記複数の領域が、高速領域と低速領域との２段階であることを特徴とする請求項１に記載のカメラ用モータ駆動式レンズシャッタ。
【請求項３】　前記二つのモータの各々が、前記永久磁石回転子の周面に対向させて、磁性体からなる補極を備えていることを特徴とする請求項１又は２に記載のカメラ用モータ駆動式レンズシャッタ。
【請求項４】　前記駆動制御回路が、コンデンサドライブ回路であることを特徴とする請求項１乃至３の何れかに記載のカメラ用モータ駆動式レンズシャッタ。」
　
２．引用例
　これに対して、原査定の拒絶の理由に引用された特開平２−１０９０２８号公報（以下、「引用例１」という。）、同じく特開昭５５−６３９５号公報（以下、「引用例２」という。）、同じく特開昭６２−１６０４３０号公報（以下、「引用例３」という。）、同じく実願平１−７５６０６号（実開平３−１６１３４号）のマイクロフィルム（以下、「引用例４」という。）及び特開平５−６１１０３号公報（以下、「周知例」という。）にはそれぞれ、次の発明が記載されている。
　引用例１；
ア．ストロボ発光時においてはそれ程速いシャッタ速度にはならないので、Ｂプリントコイルのみ駆動され、Ａプリントコイルには通電されず、Ａセクタも開放されたままである。（第３図（イ）および（ロ）参照。）・・・以上ストロボ発光時の動作について説明したが、シャッタ速度がノーマルモードのときも、これと同様に動作する。（公報第３頁右下欄から第４頁左上欄）
　
イ．高速のシャッタモードを選択したときのタイミングチャートである。・・・Ａセクタの開動作およびＢセクタの閉動作によって全体の開口波形は第４図（ホ）に示すようなシャープな形状となり、従来の電磁駆動シャッタのような波形のなまりもなく、高速のシャッタ駆動となる。（公報第４頁左上欄から右上欄）
　
　引用例２；
ウ．本発明は、対物レンズの開口直径を決定する絞り羽根系統がシャッターの開口を閉鎖するためにも使用されている往復運動を行う扇形羽根系統を備えたレンズシャッターを用いて短い露出時間の達成並びに撮影に適した絞り開口を形成するための方法および該方法を実施するための装置に関する。（公報第２頁左下欄）
　
エ．特に短い露出時間が次の様にして達成される。即ち絞りを、照度に対して適当な一定の開口直径（定められた絞り）に設定した后で、光の通過する開口を開放する機能をシャッター羽根系統２乃至５にそして閉鎖する機能を絞り羽根系統８乃至１０と委せること、即ちシャッターの開口を開放および閉鎖するため別々の開放羽根系統および閉鎖羽根系統を用いることによって達成される。（公報第５頁右下欄）
　
オ．露出過程が一定の限界露出時間、例えば１／１００秒よりも長い露出時間で行われる場合には何時も、絞り機構は定められた絞り開口を形成することのみに使用され、シャッター開口を閉鎖するためには使用されないようにプログラムされている。この場合にはシャッター開口の開放も閉鎖もシャッター羽根２によって行われる。（公報第９頁左上欄から右上欄）
　
　引用例３；
　高速プログラムが有効な望遠レンズによる撮影を行う場合、シャッタの駆動モータを速い速度で回転させるべく電圧調整回路の電圧を設定し、小絞りプログラムが有効な広角レンズを使用する場合には、電圧調整回路の電圧を低くして駆動モータを遅い速度で回転する、旨記載されている。
　
  引用例４；
　光軸に対して略反対方向へ同時に作動する２枚の羽根からなるシャッタ羽根が記載されている。
　
　周知例；
カ．【００１９】
　ここで例えば図６（ｃ）の様にシャッタ羽根３１ａ，３１ｂを駆動しようとすれば、マイコン３１６の出力（目標値）は図６（ｆ）の様に出力小で長時間出力し、又、図６（ｂ）の様に駆動する場合は図６（ｅ）の様に出力大で、又、図６（ａ）の様に駆動する場合は図６（ｄ）の様に出力小で短時間出力すればよく、マイコンの出力の大きさと出力時間により羽根の駆動法を自在にコントロールできる。
　
キ．【００３２】【課題を解決するための手段】
　本発明のシャッタ装置は、シャッタ羽根と、シャッタ羽根駆動手段と、シャッタ羽根開口量検出手段と、を有し、開口検出手段により駆動手段を自動制御する第１制御モードと、駆動手段の最大駆動力でシャッタ羽根を開方向に駆動させた後に該開口量検出手段の出力或いは該検出手段の所望値出力後の所定経過時間に応じて該駆動手段の駆動方向を切換え、最大駆動力でシャッタ羽根を閉方向に駆動させる第２制御モードと、を実行する制御手段を具備していることを特徴とする。
　
ク．【００３８】
　前述した様に撮影者が主被写体も背景もキレイに写し込みたい場合、シャッタ羽根を自動制御して絞りを途中で保持して露光を行なう。そしてこの様な状況では主被写体が止まっている事が殆んどである為高速シャッタは必要が無い（高輝度の場合はより絞り込む）。
【００３９】
　次に被写体が動いている場合は高速シャッタが求められるが、前述した様な自動制御の安定性上あまりシャッタを高速化できない。そして、そのような高速シャッタが求められるモードの時に、自動制御のモードは解除して、第２の制御モードに入る。
【００４０】
　第２の制御モードはマイコン１９がモード切換スイッチ１１０を経て駆動回路３１７に最大指令を送り、最大電力で駆動手段を駆動してシャッタを高速開口させる。次にマイコン１９に受光手段１３の出力が入力されており、受光手段１３の出力が一定値になった後、もしくは、受光手段１３の出力が一定値になった後、所定時間経過後にマイコン１９は駆動手段の駆動方向を切換える様に駆動回路に今までと逆極の最大指令を送り最大電力で駆動手段を逆方向に駆動してシャタを高速で閉じさせる。
　
３．対比・判断
　本願発明１と引用例１、２に記載された発明とを比較検討する。
　引用例１、２に記載された発明は、いずれも、構造としては、２組のシャッタ羽根を備えるものであるが、２組のシャッター羽根に小さい電圧又は電流を印加して、シャッタ羽根の作動速度を遅くすることは記載も示唆もされていない。むしろ、シャッタ速度が遅いときは、一方のシャッタ羽根のみを使用すると明記されているので、引用例３のものに、電圧とシャッタ開閉速度の関係が、及び周知例に供給電力とシャッタ開閉速度の関係が記載されているとしても、それらを引用例１、２に記載された発明と組み合わせて、電圧、又は電力を下げて２組のシャッター羽根の作動速度を遅くすることには、阻害要因がある。
　
　したがって、本願発明１は、引用例１乃至４に記載の各発明、及び従来周知の技術事項に基いて当業者が容易に発明をすることができたものであるとはいえない。
　
　上述したことと同様の理由により、本願発明２乃至４は、引用例１乃至４に記載の各発明、及び従来周知の技術事項に基いて当業者が容易に発明をすることができたものであるとはいえない。
　
４．むすび
　以上のとおり、本願発明１乃至４は、引用例１乃至４に記載の各発明に基いて当業者が容易に発明をすることができたものであるとはいえない。
  また、他に本願を拒絶すべき理由を発見しない。
　よって、結論のとおり審決する。